(57)【要約】【課題】女性のための華やかな死に装束を提供する。【解決手段】遺体を棺に仰向けに静置した状態で着せる衣服であって、ドレス本体１０とドレス本体の上から着衣するベスト３０から成り、ドレス本体１０は、胸部、腕部、臀部、脚部を包み込むワンピース状で成りベスト３０は、襟から前立てにかけてフリルを設けて、ストールの形状であるため、ドレスへの装着も容易にしたことを特徴とするエンディングドレス。【選択図】図１
0003221903.tif 000002
【実用新案登録請求の範囲】
【請求項１】
遺体を棺桶に仰向けに静置した状態で着せる衣服であって、
ドレス本体１０とドレス本体の上から装着するベスト３０から成り、
ドレス本体１０は、胸部、腕部、臀部、脚部を包み込むワンピース状で成り
ベスト３０は、フリルを備えた襟３１ａと前立３１ｂと、前見頃３３で成り、背部を開放したストール状に構成し、装着を容易にしたことを特徴とするエンディングドレス。
【請求項２】
ドレス本体１０とベスト３０は、襟部センター部と両腰部の位置に、ドレス側に３個のボタン２１ａ、２１ｂ、２１ｃ、ベスト側にそれぞれ３箇所のループ３２ａ、３２ｂ、３２ｃを備えて一体化することを特徴とする、請求項１に記載のエンディングドレス。
【考案の詳細な説明】
【技術分野】
【０００１】      人（特に女性）の火葬時の死装束に関する。
【背景技術】
【０００２】  死装束に関しては特許２００２−１０２２９９のようなものが開示されている。（特許文献１参照）
【先行技術文献】
【特許文献】
【０００３】
【特許文献１】特開２００２−１０２２９９号公報
【考案の概要】
【考案が解決しようとする課題】
【０００４】  特許文献１は、棺内に安置された遺体の死装束の上部に重ねて、その死装束を覆うように着せ掛ける仏衣であって、ウェディングドレスなどのような所望する衣服の前側部分を模して縫製された１枚布状の仏衣本体１と、その仏衣本体１の側部と肩部からそれぞれ延設して形成された折り返し部４ａおよび４ｂとにより構成するものである。これは、従来の仏衣を、予め遺体に着せておき、その上に、被せるという二重の手間を要する作業が必要となる欠点がある。
【課題を解決するための手段】
【０００５】  遺体を棺桶に仰向けに静置した状態で着せる衣服であって、ドレス本体１０とドレス本体の上から装着するベスト３０から成り、ドレス本体１０は、胸部、腕部、臀部、脚部を包み込むワンピース状で成り、ベスト３０は、フリルを備えた襟３１ａと前立３１ｂと、前見頃３３で成り、背部を開放したストール状に構成し、装着を容易にしたエンディングドレスである。
また、ドレス本体１０とベスト３０は、ドレス襟部センターと両腰部の位置に、ドレス側に３個のボタン２１ａ、２１ｂ、２１ｃ、ベスト側にそれぞれ３箇所のループ３２ａ、３２ｂ、３２ｃを備えて一体化したエンディングドレスである。
【考案の効果】
【０００６】  本考案のベストは、棺桶の中のご遺体に、被せ置くだけでも十分に美しさを演出できるように工夫が凝らされている。簡便に、着せやすく、かつ華やかさを備えている。尚且つ本体ドレスと、これに重ねるベストによって、華やかさを低価格で演出することができる。
【図面の簡単な説明】
【０００７】
【図１】本考案の外観の説明図である。
【図２】ドレス本体の外観の説明図である。
【図３】本考案ベストの正面から見た外観の説明図である。
【図４】本考案ベストの右側面から見た外観の説明図である。
【考案を実施するための形態】
【０００８】  本考案を実施するための形態を、図を用いて詳細に説明する。
遺体を棺に仰向けに静置した状態で着せる衣服であって、ドレス本体１０とベスト３０で構成される。
ベスト３０は、ドレス本体１０の上から装着する。ドレス本体１０は、胸部である前身頃１３、腕部である袖１１、臀部と脚部を包むスカート部１７から成るワンピース状である。
スカート部１７は、上衣と下衣の２枚重ねとしてある。さらに、和服のように、前側は左右うち合わせのように構成されて、図では左見頃下側に右見頃上側に重ねて装着する。
【０００９】  胸の部分である前身頃２０は、図の斜線部は二重に当て布がしてあり、これらによって、ご遺体がドライアイスでぬれた状態になっても上衣には影響を与えないようにしてある。これによってご遺体の尊厳は保たれる。
また、着物の持つ簡便さ着易さの機能を最大に生かすため、腰下スカート部と上着の切り返しに、ひも１６を設ける。端を長めに確保してあり、体の太さにも自由に対応し結びあわせる事ができる
【００１０】  袖１１は、ゆったりと広くとってあり、さらに硬直した腕にも、着せやすいように、左右の脇にスリット１９ａ、１９ｂを入れ、納棺士が着せやすいように配慮している。
袖口部１２は絞り、ゴムシャーリングを配しているので、腕の長さに対応し調整できる。前身頃２１の胸部には胸当て２０が二重に張り合わせてあり、太めのご遺体の婦人の豊かな胸が布に張り付いて表面に映り出てしまわないようにしてある。
【００１１】  さらには、本体ドレス１０の上見頃の左右の重ね合わせ２２を深くしてあり、ご遺体の胸部がはだけてしまうことがないように工夫してある。
【００１２】  次に、本考案の最大のポイントである、ベスト３０について説明する。
本ベスト３０は、衿部３１ａ、前立て部３１ｂの連続したフリル３１と前身頃３３とで成り、襟の首周りから前立て部の縁部にフリルを備えている。背部は、通常の後ろ見頃は設けず、開放してある。このため装着し易いという特徴がある。
【００１３】  ドレス本体１０とベスト３０は、ドレスの襟部センター部にボタン２１ａ、両腰部の位置にボタン２１ｂ、２１ｃを設け、ベスト側にそれぞれ３箇所のループを３２ａ、３２ｂ、３２ｃを備える。本体ドレス１０へのベスト３０の装着は、本体ドレスの３個のボタンをベストに取り付けたゴム紐のループに嵌めて、本体ドレスとベストを一体化することができる。
【００１４】  本ベスト３０をドレス１０に装着すれば簡単に華麗な表情のドレスが完成することができる。さらに本ベスト３０は、どんなに太めの体形の遺体でも、棺内に安置した状態で、上に被せ置くだけでも十分にその機能と美しさ表現できる。
【００１５】  このベストは、白色のみで作成することも良いし、下地の無地のサテン生地の色を変えても良いし、故人の好きだった色にすることができる。重ねるレースの色との組み合わせで、変化を付けることができ、種々のバリエーションが可能である。また、着物の長所を生かした機能と着せやすさを有したドレスでありながら、ベストに配されたフリルが豪華さを演出しており、「天国へのお嫁入ドレス」と呼ぶにふさわしい。
【符号の説明】
【００１６】１    エンディングドレス
１０  本体ドレス
１１  左右袖
１２  左右袖口
１３  レース前身ごろ
１４  襟ぐり
１５  掛け合わせ部
１６  掛け合わせ腰部紐
１７  スカート部
１８  スカート２重合わせ
１９  袖部スリット
２０  前身ごろ２重胸当て布
２１ａ、２１ｂ、２１ｃ    ベスト装着用ボタン
２２  前身ごろ打ち合わせ
３０  ベスト
３１  フリル
３２ａ、３２ｂ、３２ｃ    ベスト側ループ
３３  ベスト本体下地（サテン）
３４  ベスト表地レース
５３ａ、５３ｂ、３５ｃ    ベスト打ち合わせボタン
３６ａ，３６ｂ，３６ｃ    ベスト打ち合わせループ
【図１】
0003221903.tif 000003
【図２】
0003221903.tif 000004
【図３】
0003221903.tif 000005
【図４】
0003221903.tif 000006